(57)【特許請求の範囲】
【請求項１】
羽子板部の一端に頭部を有さない総雄ネジ部から成るネジ足部材が取り付けられた羽子板ネジ足形式の配管類支持具において、
前記羽子板部にボルト挿通孔と釘挿通孔とが穿設されており、
該羽子板部の長手方向と直交する方向に切込が形成され、一端側から長手方向中央部に向かって、少なくとも３個の半円筒形の突起体が表裏方向で順次交互に逆向きに開口した状態で形成されており、
該突起体の内面に雌ネジ部が形成されており、
前記ネジ足部材の雄ネジ部を、前記羽子板部の一端側から前記半円筒形の突起体に順次螺合し、該ネジ足部材の雄ネジ部の先端が前記羽子板部の一端側から最も遠い位置の突起体を形成するための切込端に当接するまで螺合させて取付ける構成であることを特徴とする配管類支持具。
【請求項２】
前記配管類支持具が、プレス成形により形成されることを特徴とする請求項１に記載の配管類支持具。
【発明の詳細な説明】
【０００１】
【発明の属する技術分野】
本発明は配管類支持具に関し、詳しくは、各種配線・各種ダクト等の配管類を吊り下げ支持する際に用いられる羽子板ネジ足形式の配管類支持具に関する。
【０００２】
【従来の技術及び発明が解決しようとする課題】
本発明者は、羽子板ネジ足形式の配管類支持具として特開昭５４−１４４２８号開示の技術を先に提案した。
【０００３】
該先提案技術は、ネジ足を２枚板からなる羽子板部で挟持する態様と、１枚板からなる羽子板部に交互に膨出部を作り、該膨出部にネジ足を入れるため１枚板を一度折り曲げ、元に戻して挟持する態様とであった。
【０００４】
前者は２枚板のためコスト高となるし、後者は１枚板を一度折り曲げ、該折り曲げ部を再び元に戻すため、強度が低下してしまうという難点があった。
【０００５】
本発明者は、かかる技術について改良すべく更に研究を重ねた結果、本発明を完成するに至ったものである。
【０００６】
即ち、本発明の課題は、強度を低下させることなく低コストで製作可能な改良された配管類支持具を提供することにある。
【０００７】
【課題を解決するための手段】
上記本発明の課題は下記の手段により達成される。
【０００８】
１、羽子板部の一端に頭部を有さない総雄ネジ部から成るネジ足部材が取り付けられた羽子板ネジ足形式の配管類支持具において、
前記羽子板部にボルト挿通孔と釘挿通孔とが穿設されており、
該羽子板部の長手方向と直交する方向に切込が形成され、一端側から長手方向中央部に向かって、少なくとも３個の半円筒形の突起体が表裏方向で順次交互に逆向きに開口した状態で形成されており、
該突起体の内面に雌ネジ部が形成されており、
前記ネジ足部材の雄ネジ部を、前記羽子板部の一端側から前記半円筒形の突起体に順次螺合し、該ネジ足部材の雄ネジ部の先端が前記羽子板部の一端側から最も遠い位置の突起体を形成するための切込端に当接するまで螺合させて取付ける構成であることを特徴とす
る配管類支持具。
【０００９】
２．前記配管類支持具が、プレス成形により形成されることを特徴とする上記１に記載の配管類支持具。
【００１０】
【発明の実施の形態】
以下、本発明に係る配管類支持具について詳説する。
図１は本発明に係る配管類支持具の一実施例を示す斜視図、図２は図１のＩＩ方向から見た底面図、図３は図１のネジ足部材を省略した状態を表すＩＩＩ−ＩＩＩ線断面図、図４は本発明に係る配管類支持具の他の実施例を示す斜視図、図５は図１に示す配管類支持具の他の実施例を示す斜視図、図６は図５のＶＩ方向から見た底面図、図７は図４の配管類支持具の他の実施例を示す斜視図である。
【００１１】
図１に示す本発明に係る配管類支持具１は、羽子板部１０の一端にネジ足部材２０が取り付けられた羽子板ネジ足形式のものであり、羽子板部１０には、ボルト挿通孔１２と釘挿通孔１３とが穿設されている。ボルト挿通孔１２及び釘挿通孔１３は、各種配線・各種ダクト・各種配管等の配管類を吊り下げ支持する際に、他部材に取り付けられたり、或いは配管バンド等の他部材を吊り下げ固定する際に用いられるものである。特に吊り下げ支持する配管類が軽量である場合、釘挿通孔１３を用いて垂木等に釘打ち固定することができる。即ち、本発明に係る配管類支持具１は、木造吊り足形式としても兼用できるものである。
【００１２】
羽子板部１０の長手方向と直交する方向に切込が形成され（図１、４、５及び７参照）、一端側（図１において下方側）から長手方向中央部に向かって、少なくとも３個（本実施例では３個）の半円筒形の突起体１４・１５・１６が表裏方向で順次交互に逆向きに開口した状態で形成されている。該突起体１４・１５・１６の形状は、完全な半円筒形である必要はなく、図２に示すように下方視において円弧状であればよい。
【００１３】
半円筒形の突起体の数は少なくとも３個、詳しくは表裏方向において一方側に少なくとも１個、該１個を挟んでその上下に他方側が少なくとも１個ずつの計２個形成されていればよく、図４に示すように、符号１４・１６と符号１５・１７の２個ずつの計４個でもよいし、あるいはそれ以上であってもよい。
【００１４】
半円筒形の突起体１４・１５・１６（・１７）を形成するには、配管類支持具１そのものを製作する際に、前記ボルト挿通孔１２及び釘挿通孔１３と同時に一体的に一工程のみのプレス加工により形成することが好ましい。
【００１５】
前記少なくとも３個の突起体１４・１５・１６（・１７）の内面には、雌ネジ部１１が各々形成されている。該雌ネジ部１１は、本態様のように突起体１４・１５・１６（・１７）が完全な半円筒形ではなく円弧状である場合、後述するネジ足部材１０を螺合した際に少なくとも接触する部分にネジ目を有していればよい。
【００１６】
雌ネジ部１１の形成についても、配管類支持具１そのものを製作する際に、上述したように一体的に一工程のみのプレス加工により同時に形成されることが好ましい。尚、該雌ネジ１１の形成を同時にではなく、後工程で、例えば、タップ形成する態様を本発明は排除するものではなく、本発明内に包含されることは勿論である。
【００１７】
前記半円筒形の突起体１４・１５・１６（・１７）には、ネジ足部材２０が取付け固定される。取付けに際しては、ネジ足部材２０を、羽子板部１０の一端側、即ち、前記半円筒形の突起体１４の下方から、雄ネジ部２１を突起体１４の雌ネジ部１１に螺合させ、順次、突起体１５の雌ネジ部１１、突起体１６の雌ネジ部１１へと螺合させ、図１、４、５及び７に示される通り、羽子板部の一端側から最も遠い位置の突起体を形成するための切込端に当接するまで螺合させるだけで極めて容易に行うことができる。
【００１８】
以上の構成を有する配管類支持具１は、軟鋼、ステンレス鋼、圧延鋼板、他の適宜の鉄合金、或いは強靭な銅合金など、プレス加工可能な各種鋼板延鋼板材等の素材を用いることにより、製作に際しては、一体的に一工程のみのプレス加工することができる。
【００１９】
尚、製造設備、用いる材料、或いはサイズ等、種々条件によっては製作工程を二工程以上としてもよい。
【００２０】
また鋼板材の他に、合成樹脂板をプレス加工することにより製造してもよく、特に図５〜図７に示す態様の場合、プレス加工に限らず、合成樹脂材料を射出成形することにより製造してもよい。
【００２１】
図５〜図７に示す実施例は、半円筒形の突起体１４・１５・１６（・１７）の形状が異なる態様を示すものである。即ち、前記図１〜図４に示す態様では、突起体１４・１５・１６（・１７）の形状が下方視した際に円弧状であったが、本態様では略完全な半円筒形に形成する。
【００２２】
図５〜図７に示す本態様では、突起体１４・１５・１６（・１７）の形状を略完全な半円筒形とすることにより、該突起体１４・１５・１６（・１７）の内面の略全面に雌ネジ部１１が形成する。突起体１４・１５・１６（・１７）の内面の略全面に雌ネジ部１１を形成することによって、ネジ足部材２０を螺合した際に、前記図１〜図４の態様に比して、ネジ足部材２０の雄ネジ部２１と突起体１４・１５・１６・（・１７）の内面の雌ネジ部１１との接触面積が大となるので、螺合がより強固となり好ましい。
【００２３】
【発明の効果】
本発明によれば、製作に際して羽子板部を一体的に一工程のみのプレス加工で形成することが可能であり、しかも該羽子板部にネジ足部材を螺合するのみで容易に取付け固定することができるので、強度を低下させることなく低コストで製作可能な改良された、木造吊り足として兼用可能な配管類支持具を得ることができる。
【図面の簡単な説明】
【図１】本発明に係る配管類支持具の一実施例を示す斜視図
【図２】図１のＩＩ方向から見た底面図
【図３】図１のネジ足部材を省略した状態を表すＩＩＩ−ＩＩＩ線断面図
【図４】本発明に係る配管類支持具の他の実施例を示す斜視図
【図５】図１に示す配管類支持具の他の実施例を示す斜視図
【図６】図５のＶＩ方向から見た底面図
【図７】図４の配管類支持具の他の実施例を示す斜視図
【符号の説明】
１  配管類支持具
１０  羽子板部
１１  雌ネジ部
１２  ボルト挿通孔
１３  釘挿通孔
１４・１５・１６・１７  突起体
２０  ネジ足部材
２１  雄ネジ部
【図１】
0004643033.tif 000002
【図２】
0004643033.tif 000003
【図３】
0004643033.tif 000004
【図４】
0004643033.tif 000005
【図５】
0004643033.tif 000006
【図６】
0004643033.tif 000007
【図７】
0004643033.tif 000008